(57)【要約】【課題】行列に並んでいる人や並ぼうとしている人に、人の移動状況を、正確かつ迅速に伝えることが可能なパーティションポール装置を提供する。【解決手段】人を誘導するためのパーティションポール本体Ｐを備えたパーティションポール装置であって、パーティションポール本体Ｐは、電気的に表示内容を変更可能な表示手段11を有する。【選択図】図１
2018165864.tif 000002
【特許請求の範囲】
【請求項１】
人を誘導するためのパーティションポール本体（Ｐ）を備えたパーティションポール装置に於て、
上記パーティションポール本体（Ｐ）は、電気的に表示内容を変更可能な表示手段（11）を有することを特徴とするパーティションポール装置。
【請求項２】
上記パーティションポール本体（Ｐ）は、人を検知可能な人検知手段（12）と、該人検知手段（12）が検知した人検知回数を計測する処理手段（10）と、計測した人検知回数を回数データとして記憶する記憶手段（13）と、を備え、上記回数データを管理用情報処理機器（３）へ送信可能、又は、上記回数データを上記表示手段（11）に表示可能、に構成した請求項１記載のパーティションポール装置。
【請求項３】
上記パーティションポール本体（Ｐ）は、人を検知した検知時刻データと、上記回数データと、に基づいて人の移動状況を上記表示手段（11）に表示するように構成した請求項２記載のパーティションポール装置。
【請求項４】
上記パーティションポール本体（Ｐ）は、動画の撮影が可能なカメラ（14）を備え、さらに、該カメラ（14）が撮影した動画を映像データとして管理用情報処理機器（３）又は他の上記パーティションポール本体（Ｐ）に送信可能、又は、上記管理用情報処理機器（３）又は他の上記パーティションポール本体（Ｐ）からのデータを受信可能、に構成した請求項１記載のパーティションポール装置。
【請求項５】
上記パーティションポール本体（Ｐ）は、上記カメラ（14）で撮影した人の顔画像データから性別及び年齢を推定する性別年齢判定処理と、該性別年齢判定処理の結果に基づいて性別と年齢の比率を算出する性別年齢比率処理と、を行う処理手段（10）を備えた請求項４記載のパーティションポール装置。
【請求項６】
上記パーティションポール本体（Ｐ）は、上記カメラ（14）で撮影した人の顔画像データと、不審者データと、に基づいて上記顔画像データの人物が不審者か否かを判定する不審者判定処理を行う処理手段（10）を備え、不審者と判定した場合に警報を発するように構成した請求項４記載のパーティションポール装置。
【請求項７】
誘導路（Ｚ）を形成する複数の上記パーティションポール本体（Ｐ）（Ｐ）の内、先頭に配設された上記パーティションポール本体（Ｐ）の上記カメラ（14）で撮影した映像データを、最後尾に配設された上記パーティションポール本体（Ｐ）の上記表示手段（11）に表示するように構成した請求項４記載のパーティションポール装置。
【請求項８】
上記パーティションポール本体（Ｐ）は、自立状設置状態と持ち上げ状態とを判定可能にＯＮ−ＯＦＦが切り換わるスイッチ（61）を有する危険検知手段（16）を備え、上記持ち上げ状態と判定した場合に警報を発するように構成した請求項１記載のパーティションポール装置。
【請求項９】
隣り合う上記パーティションポール本体（Ｐ）（Ｐ）を連結自在なガイドベルト（62）を備え、
上記ガイドベルト（62）は、内部に伸縮自在な電力線を有し、全体に伸縮自在であり、
複数の上記パーティションポール本体（Ｐ）（Ｐ）の内の少なくとも１つに外部電力が供給され、上記ガイドベルト（62）内の電力線を介して他の上記パーティションポール本体（Ｐ）に電力を供給するように構成した請求項１記載のパーティションポール装置。
【発明の詳細な説明】
【技術分野】
【０００１】
本発明は、パーティションポール装置に関する。
【背景技術】
【０００２】
従来のパーティションポール装置は、銀行の自動支払い機に並ぶ行列のための誘導路や、ホテル、空港、催し会場での行列を整理・誘導するための簡易仕切り等として、複数のパーティションポール本体を所定ピッチで床面・地面等に立設し、ロープやテープ等を用いて連結するものがあった（例えば、特許文献１参照）。
そして、待ち時間や待ちの順番等の人の移動状況（行列状況）を記載した紙を貼着する掲示板、或いは、マジック等で直接に人の移動状況を記載するホワイトボードを、パーティションポール本体に着脱自在に設けたものがあった（例えば、特許文献２参照）。
【先行技術文献】
【特許文献】
【０００３】
【特許文献１】特開２０１３−１８９７４６号公報
【特許文献２】特開２０１１−１２２３１５号公報
【発明の概要】
【発明が解決しようとする課題】
【０００４】
従来のパーティションポール装置は、行列に並んでいる人々に、最新の情報を正確かつ迅速に伝えることができないという問題があった。また、数量限定商品を買うための長い行列に対して、店員が行列に並んでいる人に配布券（整理券）を配ることや、行列の人数を確認し、行列の待ち時間や人数が変わる度に、人の移動状況（行列状況）を記載した紙等を貼り直す必要があり、手間と時間がかかるという問題があった。
【０００５】
そこで、本発明は、行列に並んでいる人や並ぼうとしている人に、人の移動状況を、正確かつ迅速に伝えることが可能なパーティションポール装置の提供を目的とする。
【課題を解決するための手段】
【０００６】
上記目的を達成するために、本発明のパーティションポール装置は、人を誘導するためのパーティションポール本体を備えたパーティションポール装置に於て、上記パーティションポール本体は、電気的に表示内容を変更可能な表示手段を有するものである。
また、上記パーティションポール本体は、人を検知可能な人検知手段と、該人検知手段が検知した人検知回数を計測する処理手段と、計測した人検知回数を回数データとして記憶する記憶手段と、を備え、上記回数データを管理用情報処理機器へ送信可能、又は、上記回数データを上記表示手段に表示可能、に構成したものである。
また、上記パーティションポール本体は、人を検知した検知時刻データと、上記回数データと、に基づいて人の移動状況を上記表示手段に表示するように構成したものである。
【０００７】
また、上記パーティションポール本体は、動画の撮影が可能なカメラを備え、さらに、該カメラが撮影した動画を映像データとして管理用情報処理機器又は他の上記パーティションポール本体に送信可能、又は、上記管理用情報処理機器又は他の上記パーティションポール本体からのデータを受信可能、に構成したものである。
また、上記パーティションポール本体は、上記カメラで撮影した人の顔画像データから性別及び年齢を推定する性別年齢判定処理と、該性別年齢判定処理の結果に基づいて性別と年齢の比率を算出する性別年齢比率処理と、を行う処理手段を備えたものである。
また、上記パーティションポール本体は、上記カメラで撮影した人の顔画像データと、不審者データと、に基づいて上記顔画像データの人物が不審者か否かを判定する不審者判定処理を行う処理手段を備え、不審者と判定した場合に警報を発するように構成したものである。
また、誘導路を形成する複数の上記パーティションポール本体の内、先頭に配設された上記パーティションポール本体の上記カメラで撮影した映像データを、最後尾に配設された上記パーティションポール本体の上記表示手段に表示するように構成したものである。
【０００８】
また、上記パーティションポール本体は、自立状設置状態と持ち上げ状態とを判定可能にＯＮ−ＯＦＦが切り換わるスイッチを有する危険検知手段を備え、上記持ち上げ状態と判定した場合に警報を発するように構成したものである。
また、隣り合う上記パーティションポール本体を連結自在なガイドベルトを備え、上記ガイドベルトは、内部に伸縮自在な電力線を有し、全体に伸縮自在であり、複数の上記パーティションポール本体の内の少なくとも１つに外部電力が供給され、上記ガイドベルト内の電力線を介して他の上記パーティションポール本体に電力を供給するように構成したものである。
【発明の効果】
【０００９】
本発明によれば、店員や警備員等の行列管理者が、行列に並んでいる人に、待ち時間や順番等を説明する手間や、紙等に記載して貼る手間を削減できる。行列に並んでいる人や並ぼうとしている人に、容易かつ迅速に（リアルタイムで）、正確な情報をタイムリーに提供できる。表示手段に宣伝や広告を表示させて待ち時間のイライラ解消や顧客の呼び込みに貢献できる。
【図面の簡単な説明】
【００１０】
【図１】パーティションポール本体の斜視図であって、（ａ）は第１例を示す斜視図であり、（ｂ）は第２例を示す斜視図であり、（ｃ）は第３例を示す斜視図であり、（ｄ）は第４例を示す斜視図であり、（ｅ）は第５例を示す斜視図である。
【図２】本発明の実施の一形態を示す簡略構成図である。
【図３】本発明の実施の一形態を示すブロック図である。
【図４】使用状態の一例を示す斜視図である。
【図５】性別年齢判定処理の一例を示す説明図である。
【図６】不審者データの一例を示す説明図である。
【図７】不審者判定処理の一例を示す説明図である。
【図８】警報の一例を示す説明図である。
【図９】顔認識判定結果リストの一例を示す説明図である。
【図１０】表示の一例を示す正面図である。
【図１１】性別年齢比率結果の表示の一例を示す説明図であって、（ａ）はグラフ表示の一例であり、（ｂ）は一覧表示の一例であり、（ｃ）は一覧表示の他例である。
【図１２】使用状態の他例を示す斜視図である。
【図１３】危険検知手段を説明するための斜視図である。
【発明を実施するための形態】
【００１１】
以下、図示の実施形態に基づき本発明を詳説する。
本発明のパーティションポール装置は、図１に示すように、床面や地面等の設置面に立設（載置）され、人を整理・誘導するための自立型のパーティションポール本体Ｐを複数（本）備えている。
パーティションポール本体Ｐ（以下ポール本体Ｐと呼ぶ場合もある）の外観形状は、板型、柱型、スタンド看板型、円柱型、等自由である。
【００１２】
図１乃至図４に示すように、ポール本体Ｐは、電気的に表示内容を静止画や動画に変更可能な表示手段11と、動画の撮影が可能なカメラ14と、人を検知可能な人検知手段12と、ＯＮ−ＯＦＦが切り換わるスイッチ61（図１と図13参照）を有する危険検知手段16と、を備えている。
【００１３】
さらに、ポール本体Ｐは、図３に示すように、マイコンやＣＰＵ等で構成され各部や各手段の制御及び演算処理（プログラムの作動）が可能な処理手段10と、データを記憶するための（データを読み書き可能な）ＲＡＭやフラッシュメモリ等の記憶手段13と、記憶手段13に記憶したデータをサーバー装置30や携帯情報端末31等の管理用情報処理機器３へ送信可能なデータ送信手段17Ａと、管理用情報処理機器３からの指令信号や画像等のデータを受信可能なデータ受信手段17Ｂと、スピーカ等の音声出力手段15と、ＷｉーＦｉモジュール18と、タッチパネルやボタン部等の操作入力手段（図示省略）と、を備えている。
なお、データ送信手段17Ａ及びデータ受信手段17Ｂを、まとめて、データ送受信手段17と呼び、まとめて図示している。
【００１４】
表示手段11は、液晶ディスプレイ（ＬＣＤ）、プラズマディスプレイ（ＰＤＰ）、有機ＥＬディスプレイ（ＯＬＥＤ）、ビデオプロジェクタ、曲面ディスプレイ、プロジェクタ、ＬＥＤドットマトリックス表示器、電子ペーパー等の表示デバイスである。
表示手段11の大きさ（画面サイズ）や配置や形状は自由であって、例えば、図１（ａ）に示すように、板型のポール本体Ｐの上部に配設される矩形型、図１（ｂ）に示すように、柱型のポール本体Ｐの上部に設けた面取り状傾斜部に配設した矩形型、図１（ｃ）に示すように、板型のポール本体Ｐの前面の略全体（８０％以上）に配設される縦長帯型、図１（ｄ）に示すように、看板型のポール本体Ｐの上部に配設されるモニター型、図１（ｅ）に示すように、円柱型のポール本体Ｐの外周面に沿って配設された円筒外面（外周面）型等である。
【００１５】
人検知手段12は、赤外線を用いて人を検知可能なセンサであって、図４に示すように、人の行列を整理・誘導するための誘導路Ｚを形成する複数のポール本体Ｐ，Ｐの内、誘導路Ｚの左右方向に隣り合う一対のポール本体Ｐ，Ｐ（ＰＡ，ＰＢ）の一方に設けられた赤外線発光部、及び、一対のポール本体ＰＡ，ＰＢの他方に設けられ赤外線発光部からの赤外光（線）が人にて遮られたことを検出可能な赤外線受光部、で構成されたフォトインタラプタ型（透過型）のセンサである。このように、透過型センサとすることで、誘導路Ｚの左右両側に配設される一対のポール本体ＰＡ，ＰＢの間を通過した人を、確実に検知でき、正確なデータを得ることができる。
【００１６】
または、人検知手段12は、ポール本体Ｐに設けられ、赤外線を発光させ反射してきた光り（赤外光）を検出することでポール本体Ｐに接近してくる人の有無及び位置を検知するように構成されたフォトリフレクタ型（反射型）のセンサである。このように、反射型センサとすることで、ポール本体Ｐの配置（誘導路Ｚのレイアウト）の変更を容易かつ迅速に行うことができる。
人検知手段12は、透過型センサ及び反射型センサの両方を備えるも良い。人検知手段12（センサ）の配置は、ポール本体Ｐの前面、側面、後面等自由である。
【００１７】
図２及び図３に示すように、データ送受信手段17は、ルーターやハブ等の中継器、インターネット回線やＬＡＮ回線等の情報回線網Ｔ等を介して、又は、直接的に、管理用情報処理機器３とデータ（指令信号や画像データ）の送受信が可能である。また、ポール本体Ｐ同士で、相互にデータの送受信（受け渡し）が可能である。
管理用情報処理機器３は、コンピューター等のサーバー装置30や、スマートフォン、タブレット型コンピューター等の携帯情報端末31等である。
【００１８】
処理手段10は、カメラ14で撮影した人の顔画像データから性別及び年齢を推定する性別年齢判定処理を行う（図５参照）。
また、処理手段10は、カメラ14で撮影した人の顔画像データと、予め記憶手段13に記憶されている不審者（の顔画像）データ（図６参照）と、に基づいて（比較して）顔画像のデータの人物が不審者か否かを判定する不審者判定処理を行う（図７参照）。
さらに、処理手段10は、性別年齢判定処理の結果及び不審者判定処理の結果を顔認識結果映像データとして記憶手段13に記憶させる。また、データ送受信手段17に顔認識結果映像データとして管理用情報処理機器３へ送信させる。また、顔認識結果映像データは表示手段11及び管理用情報処理機器３の表示部３ｄに表示可能である（図８参照）。
【００１９】
処理手段10は、図５に示すように、カメラ14で撮影した人（ポール本体Ｐに接近した人）が、不審者でない場合は、人の顔の周囲を破線で枠組みし、推定性別と、推定年齢と、不審者でないことを意味する「異常無し」のコメントと、をカメラ14で撮影した映像データ内の人近傍に追加した顔認識結果映像データを作成し、記憶させ、表示させる。また、管理用情報処理機器３へ送信する。
【００２０】
そして、（例えば、最後尾の）ポール本体Ｐに、不審者が接近すると、図６に示すように、予め記憶手段13に記憶されている不審者（の顔画像）データと、図７に示すように、撮影した映像データ内の顔画像データと、を比較して、不審者（同一人物）と判定して、不審者（人）の顔の周囲を太線や色線で枠組みし、推定性別と、推定年齢と、不審者であることを意味する「不審者」のコメントと、を映像データ内の人近傍に追加して顔認識結果映像データとして、表示手段11に表示させ、データ送受信手段17から管理用情報処理機器３に送信させる。
【００２１】
さらに、ポール本体Ｐは、不審者と判定した場合に、警報を発すように構成している。警報とは、警告音声の出力、警告色や警告光の表示・発光、警告メッセージや警告図の表示等である。
つまり、処理手段10は、図８に示すように、不審者と判定した場合に、（最後尾の）ポール本体Ｐの音声出力手段15から警報音や警報メッセージ等の警告音声を発生させる。警告音声は、「不審者侵入」、「緊急事態発生」、アラーム音等、複数種類の警告音声から選択して設定可能である。また、処理手段10は、不審者と判定した場合に、表示手段11に、警告メッセージや警告図を表示させる。また、赤色や黄色等の警告色や警告光を点滅表示させる。
【００２２】
管理用情報処理機器３は、処理手段10から送信された顔認識結果映像データを受信すると、表示部３ｄに表示させる。
そして、受信した不審者判定処理の結果が不審者判定の場合に、管理用情報処理機器３の音声出力部から警告音声を発生させる。また、表示部３ｄに警告メッセージや警告図を表示させる。また、赤色や黄色等の警告色や警告光を点滅表示させる。
【００２３】
さらに、ポール本体Ｐの処理手段10は、人検知手段12が検知した人検知回数を計測する回数計測処理を行う。さらに、計測した人検知回数を回数データ（人数カウンタ）として記憶手段13に記憶させる。
また、処理手段10は、人を検知した時の検知時刻を、検知時刻データとして、記憶手段13に記憶させる。
回数データ及び検知時刻データは、表示手段11に表示可能である。また、データ送受信手段17から管理用情報処理機器３に送信可能である。
【００２４】
さらに、処理手段10は、通過した人の顔認識判定結果リスト（図９参照）を作成して、記憶手段13に記憶させるリスト作成処理を行う。
処理手段10は、ポール本体Ｐに予め付与しているポール番号（記号や数字、文字等を含む）と、回数データ（人数カウンタ）と、検知時刻データ（時刻）と、推定性別データ（性別）と、推定年齢データ（年齢）と、顔画像フラグと、顔画像データ（顔画像）と、不審者判定結果データ（不審者判定結果）と、を関連づけて顔認識結果データＤを作成する。
処理手段10は、検知した人、夫々に対して、順次、顔認識結果データＤを作成し、複数の顔認識結果データＤ，Ｄを一覧表とした顔認識判定結果リストＬを作成する。新たな人が接近すれば、顔認識結果データＤを追加し、顔認識判定結果リストＬを更新する。
【００２５】
なお、図９において、最後尾（誘導路Ｚの入口）のポール本体Ｐのポール番号をＰ１とし、誘導路Ｚの出口へ向かって、順次、Ｐ２、Ｐ３、とし、先頭（誘導路Ｚの出口）のポール本体Ｐのポール番号をＰｎとしている。
なお、ポール番号は、並べた順に限らず、先頭のポール本体Ｐのポール番号をＰ１とするも良く、固有の識別番号であっても良い。
【００２６】
処理手段10は、リスト作成処理する際に、人検知手段12が人を検知した時刻に、カメラ14が撮影した映像データから人の顔画像データを抽出し、記憶手段13に記憶させる。
また、顔認識判定結果リストＬ（以下、リストＬと呼ぶ場合もある）の顔画像データは、所定の操作を行うことで、表示手段11や表示部３ｄに表示・非表示を、切り換えることができる。
例えば、リストＬが表示されている際に、各顔画像データと関連づけている顔画像フラグを、所定の操作にて、デフォルトのＯＦＦからＯＮに変更すると、顔画像データを表示させることができる。
【００２７】
そして、ポール本体Ｐ，Ｐ同士で、顔認識結果データＤ（以下、結果データＤと呼ぶ場合もある）の最新（更新）情報を共有し、最新のリストＬに更新（作成して記憶）する。
例えば、誘導路Ｚを形成する複数のポール本体Ｐ，Ｐの内、先頭（最前列）のポール本体Ｐのデータ送受信手段17は、回数データ（人数カウンタ）が更新される毎に、その先頭のポール本体Ｐに接近した（通過した）人の結果データＤを、他のポール本体Ｐや、管理用情報処理機器３に送信する。他のポール本体Ｐは、先頭のポール本体Ｐからの顔認識結果データＤを受信して、リストＬを更新する。また、先頭のポール本体Ｐのデータ送受信手段17は、他のポール本体Ｐの処理手段10が行った結果データＤを受信する。先頭のポール本体Ｐの処理手段10は、他のポール本体Ｐからの結果データＤに基づいて（参考にして）リストＬを更新する。
【００２８】
また、データ送受信手段17は、新たな結果データＤ、又は、更新したリストＬを、管理用情報処理機器３に送信する。管理用情報処理機器３は、新たな結果データＤ、又は、更新したリストＬを記憶する。
【００２９】
さらに、処理手段10は、検知時刻データと回数データとに基づいて人の移動速度や待ち時間や待ち人数（順番）、といった人の移動状況（行列状況）を演算し、この演算結果を人の移動状況（情報）として、表示手段11に表示させる。
【００３０】
処理手段10は、累積順番情報を作成して表示させる。例えば、人がポール本体Ｐに接近すると、人検知手段12が人を検知し、記憶手段13が記憶した回数データ（人数カウンタ）を、呼び出して、図10に示すように、表示手段11に「あなたは５０番目の来場者です」と、表示させる。
【００３１】
そして、処理手段10は、待ち人数（順番）情報を作成して表示させる。例えば、人が接近したポール本体Ｐが記憶している回数データ（人数カウンタ）の数値と、先頭（誘導路Ｚの出口）のポール本体Ｐが記憶している回数データの数値と、を読み出し、人が接近したポール本体Ｐの回数データの数値（例えば、５０）から、先頭のポール本体Ｐの回数データの数値（例えば、７９）を引き算（５０―７９＝２９）して、待ち人数（順番）を算出し、「只今の待ち人数は２９人」と、表示させる。
【００３２】
さらに、処理手段10は、待ち時間情報を作成して表示させる。例えば、先頭のポール本体Ｐを一名が通過するのにかかった時間を算出し、その算出した一人あたりの時間（例えば４１秒）と、人が接近したポール本体Ｐの待ち人数情報（例えば２９）と、をかけ算（４１×２９）することで、待ち時間（１１８９秒）を算出し、「只今の待ち時間：約２０分」と、表示させる。
【００３３】
また、処理手段10は、性別年齢判定処理の結果に基づいて性別と年齢の比率を算出する性別年齢比率処理を行う。
性別年齢比率処理は、人検知手段12が検知した人の総人数に占める性別と年齢の比率を算出（演算・分析）して、算出結果を性別年齢比率結果として、表示手段11に表示させる。また、データ送受信手段17は、性別年齢比率結果（情報）を、管理用情報処理機器３に送信する。管理用情報処理機器３は、性別年齢比率結果を受信すると、各表示部３ｄに表示させる。
【００３４】
性別年齢比率結果（分析結果情報）は、図11（ａ）に示すように、棒グラフと文字で表示される場合や、図11（ｂ）に示すように、１日の来場者数に対する性別年齢比率を一覧表として表示される場合や、図11（ｃ）に示すように、所定の時間帯の来場者数に対する性別年齢比率を一覧表として表示される場合がある。
このように、グラフ（図形）や一覧で表示でき、店舗やイベントの市場（顧客）の調査・分析を行うことが可能となる。
【００３５】
次に、図12に示すように、誘導路Ｚを形成する複数のポール本体Ｐ，Ｐの内、先頭に配設されたポール本体Ｐのカメラ14で撮影した映像データを、最後尾に配設されたポール本体Ｐの表示手段11に表示する。また、最後尾のポール本体Ｐの表示手段11に待ち時間等の人の移動状況情報を表示する。
なお、最後尾のポール本体Ｐに限らず、誘導路Ｚの中間部に配設されるポール本体Ｐの表示手段11に、先頭に配設されたポール本体Ｐのカメラ14で撮影した映像データを、表示させることも可能である。
【００３６】
ポール本体Ｐの表示手段11は、表示のＯＮ／ＯＦＦ切換えや、所定の操作によって表示内容設定（映像設定）を切換え可能である。表示内容としては、例えば、「広告・宣伝動画」、「インターネット映像」、「ポール番号○○のカメラ映像」等であって、複数種類から選択可能に、映像の読み出し先が登録されている。
【００３７】
（例えば最後尾の）ポール本体Ｐの映像表示をＯＮにし、表示内容設定操作にて、「ポール番号Ｐｎのカメラ映像」に設定すると、最前列（ポール番号Ｐｎ）のポール本体Ｐのカメラ14で撮影された（通行人等の）映像データが、データ送受信手段17から、ネットワーク経由（インターネット経由やポール本体Ｐ同士の通信網経由）で、最後尾のポール本体Ｐのデータ送受信手段17に送信され、最後尾のポール本体Ｐは受信した（最前列のポール本体Ｐからの）映像データを、表示手段11に表示する。つまり、誘導路Ｚの出口状況（行列の先頭状況）をリアルタイム（ライブ）中継する。
【００３８】
このように、構成することで、最後尾の人や、誘導路Ｚに並ぼうか悩んでいる誘導路侵入予定者が、先頭の混雑状況を、（先頭と離れている最後尾近傍にいながらも）直感的に一目で確認することができる。
【００３９】
さらに、図13に示すように、ポール本体Ｐは、自立状設置状態と、持ち上げ状態とを判定可能にＯＮ−ＯＦＦが切り換わるスイッチ61を有する危険（盗難）検知手段16を備えている。このスイッチ61は、所定の操作を行って危険（盗難）監視モードに設定した場合に、危険信号を発信可能（ＯＮ−ＯＦＦの切換えを有効）とすることができる。
スイッチ61は、ポール本体Ｐの下面１ｂから出没自在に設けている。そして、ポール本体Ｐが自立状設置状態の場合はポール本体Ｐの自重によって設置面に押し付けられ、自立状設置状態信号（例えばＯＦＦ信号）を処理手段10に送信している。そして、窃盗やイタズラ等でポール本体Ｐが持ち上げられるとスイッチ61が設置面から離れて下面１ｂから突出して危険信号（例えばＯＮ信号）を処理手段10に送信する。また、音声出力手段15は処理手段10が持ち上げ状態と判定した（スイッチ61のＯＮ−ＯＦＦが切り換わった）場合に、警告音声や警告表示等の警報を発するように構成している。
【００４０】
処理手段10は、危険信号を受信すると、ポール本体Ｐが盗まれたり破壊されたりする虞れのある持ち上げ状態（危険状態）と判定して、音声出力手段15から警報音や警報メッセージ等の警告音声を発生させる。また、表示手段11に、警告メッセージや警告図を表示させ、赤色や黄色等の警告色を点滅表示させる。また、危険（異常状態）であることを、異常信号として、管理用情報処理機器３に送信する。
管理用情報処理機器３は、異常信号を受信すると（図８を用いて説明した不審者判定を行った場合と同様に）警報を発生させ、警備員等に伝達し、盗難を防止（監視）することができる。
【００４１】
さらに、ポール本体Ｐは、危険検知手段16を有効とする危険監視モードと、危険検知手段16を無効とする通常モードとに、所定の操作を行うことで切り換え可能な設定手段を備えている。
そして、危険監視モードにおいて、人検知手段12が人を検知すると、処理手段10は不審者が接近していると判定して、その接近してきた人（不審者）をカメラ14に撮影させる。処理手段10は、（予め記憶している不審者データとの比較なしで）接近してきた人を不審者と判定し、（上述の不審者判定処理と同様に）撮影した映像データに不審者情報を付加して、データ送受信手段17から管理用情報処理機器３へ送信させる。
【００４２】
次に、図３に示すように、ポール本体Ｐは、外部から電力が供給される電力入力部71と、電力入力部71に入力された電力を蓄える蓄電部72と、ソーラーパネル等の太陽光発電部73と、蓄電部72の所定充電量を超えた余剰電力を他のポール本体Ｐに供給可能な電力出力部74と、を備えている。
【００４３】
電力入力部71は、有線又は無線にて、給電可能なものであれば良く、外部電源のコンセントからコンセントプラグ及び電源コードを介して電力が供給される電源インレット部や、交流電源（ＡＣ１００Ｖ）を直流に変換するＡＣ／ＤＣコンバーターや、外部電源となる無線給電装置７からの電力を受ける（無線給電装置７の影響を受けて電気が流れる）無線電力受信部等を有している。
無線給電装置７（無線電力送信部）及び無線電力受信部は、電磁誘導方式、磁界共鳴方式、電波受信方式（Ｃｏｔａ）、電界結合方式、直流共鳴方式、超音波方式、等自由である。
【００４４】
蓄電部72は、電力入力部71と太陽光発電部73からの電力を蓄積可能であって、リチウムイオン電池、鉛電池、ニッケル水素電池、ニカド電池等の二次電池である。
外部から供給される電力は交流、直流のいずれであっても良い。蓄電部72の電力は表示手段11や処理手段10、カメラ14等の電気必要部品に供給される。
【００４５】
ここで、図４及び図12に示すように、誘導路Ｚを形成する複数のポール本体Ｐ，Ｐの内、誘導路Ｚの誘導方向（前後方向）に隣り合うポール本体Ｐ，Ｐを連結自在なガイドベルト62を備えている。ガイドベルト62は、不使用状態では、ポール本体Ｐの内部に巻設状に収納され、使用する際にポール本体Ｐの内部から引き出し可能に設けている。
【００４６】
ガイドベルト62は、内部に、伸縮自在な電力線を有し、全体に伸縮自在であり、一方のポール本体Ｐから引き出したガイドベルト62を、他方のポール本体Ｐに連結（接続）すると、一方のポール本体Ｐと他方のポール本体Ｐとで互いに電力の受け渡しが可能となる。電力線を流れる電力は、直流、交流いずれであっても良い。
【００４７】
つまり、ガイドベルト62の基端部は、電力出力部74と電力入力部71に接続されている。
また、他のポール本体Ｐのガイドベルト62の先端部が連結されるベルト連結部は、電力入力部71と電力出力部74に接続されている。
【００４８】
電力が供給されたポール本体Ｐは、蓄電部72が所定充電量（フル充電の９５％以上又はフル充電）になると、供給される電力の一部又は全部を余剰電力として、ガイドベルト62を介して連結されている他のポール本体Ｐへ、（電力出力部74から）電力供給するように構成している。
【００４９】
このように構成することで、複数のポール本体Ｐ，Ｐを並べて、隣り合うポール本体Ｐ，Ｐ同士をガイドベルト62にて連結して誘導路Ｚを形成した使用状態において、ガイドベルト62にて連結された（電気的に直列に接続された）ポール本体郡（列）の内の少なくとも１つに、外部電力を供給すれば、ガイドベルト62にて連結されている他の複数のポール本体Ｐに、順次、電力が供給（分配）されることになる。
単独での使用はもちろんのこと、外部電源の場所や数を気にせずに、ガイドベルト62にて連結数を増やして、多数のポール本体Ｐを使用することが可能となる。
なお、外部電力が供給されるポール本体Ｐは、図４のように、最後尾（誘導路Ｚの入口側）のポール本体Ｐに限らず、先頭（誘導路Ｚの出口側）のポール本体Ｐや、中間のポール本体Ｐとするも良い。
【００５０】
また、表示手段11は、図１（ａ）（ｂ）に示すように、出入口案内や、図１（ｃ）に示すように、イベント終了案内、図１（ｄ）に示すように、コンサートの宣伝等が、電気的に（紙等の物理的な交換や、人による記載でなく）、表示内容を変更可能である。
また、表示手段11に表示される静止画や動画の内容、音声出力手段15が出力する音声、表示手段11に表示される文字のフォント、文字サイズ、文字色は、管理用情報処理機器３の操作入力部からの遠隔操作やリモート操作、或いは、ポール本体Ｐの操作入力手段にて所定の操作を行うことで変更可能である。
行列に並んでいる人の状況に合わせて、表示内容や音声、宣伝や広告表示、リラックス動画や音楽等に迅速に変更でき、行列のスムーズな進行に貢献できる。
【００５１】
また、音声出力手段15は、案内音声のＯＮ／ＯＦＦ切換え、警告音声のＯＮ／ＯＦＦ切換え、が可能であり、複数の音声出力パターンが出力可能である。
また、音声出力手段15は、人検知手段12の連動・非連動が切換え可能である。
【００５２】
音声出力手段15と人検知手段12との連動とは、人検知手段12が人を検知した際に、予め設定した案内音声を出力するようにしている。
例えば、ポール本体Ｐを店舗の入口に設置した場合に、人を検知すると、「いらっしゃいませ」と出力して、来客案内として使用することが可能となる。
また、駅のホームにポール本体Ｐを設置した場合に、人が、線路近傍の黄色のラインを超えそうな位置に来たことを人検知手段12が検知すると、「これより先は線路です。転落事故の危険あり、ご注意下さい」と注意喚起ができ、特に、目の不自由な人の転落事故防止に役立ち、鉄道事故を防ぐことができる。
また、数量限定商品を販売する店舗が、ポール本体Ｐを、行列人数を把握するために店舗前や行列の先頭に設置すれば、「限定販売１００。あなたは４番目です。」と音声で伝達でき、行列の順番を確認するのに最適であり、従業員がお客に対して整理券を配ったり、行列の人数を数える必要がなくなり、人件費を抑える効果がある。
このように、音声出力手段15は、複数種類の音声出力パターンから、使用目的に応じて、選択できる。
【００５３】
また、ポール本体Ｐは、夜間の監視用として設置すれば、危険監視モードや、不審者判定処理、警告アラーム等の警報の出力により、防犯対策での使用が可能となる。
また、ポール本体Ｐは、Ｗｉ−Ｆｉモジュール（インターネット無線接続提供器）18を有しているので、誘導路Ｚ内で行列に並んでいる人々に、インターネット通信を提供でき（Ｗｉ−Ｆｉスポットとなり）、暇潰しやイライラの解消に寄与し、スムーズな行列の整理・誘導を実現できる。
また、ポール本体Ｐは、移動可能に、設置面に（固設されず）載置される。
【００５４】
なお、「パーティションポール」は、パーテーションポール、ベルトパーティション、ガイドポール、パネルスタンド、パネルスタンドポール、タワーメッセ（登録商標）などと呼ばれる場合もある。
【００５５】
なお、サーバー装置30は、ポール本体Ｐからデータを受信可能なサーバー側受信部と、所定の処理を行うためのＣＰＵ等のサーバー側演算処理部と、データを記憶するＲＡＭやＲＯＭ、ＨＤ（ハードディスク）等のサーバー側記憶部と、サーバー側記憶部のデータを表示可能な液晶モニター等のサーバー側の表示部３ｄと、データ検索や表示命令を指示するためのキーボードやマウス等のサーバー側操作入力部と、データ検索結果を紙等に出力するためのプリンタ等のサーバー側出力部と、データ（データファイル）を外部へ送信可能なサーバー側送信部と、を備えたサーバー型パーソナルコンピューター（サーバーＰＣ）やサーバー型ワークステーション等の情報処理装置である。
携帯情報端末31は、ポール本体Ｐからデータを受信可能な端末側受信部と、所定の処理を行うためのＣＰＵ等の端末側演算処理部と、データを記憶するＲＡＭやＲＯＭ、ＨＤ（ハードディスク）等の端末側記憶部と、端末側記憶部のデータを表示可能な液晶画面等の端末側の表示部３ｄと、データ検索や表示命令を指示するためのタッチパネルやボタン等の端末側操作入力部と、データを外部へ送信可能な端末側送信部と、を備えたものであって、スマートフォン、タブレットＰＣ、携帯型ゲーム器、ＰＤＡ等である。
【００５６】
また、処理手段10は、人の顔の判定に限らず、犬、猫、猿、猪、熊、狸、狐、鹿等の動物の顔（種類）も判定可能な動物認識処理を行うように構成するも良い。そして、処理手段10は、撮影した動物の画像データと、予め記憶手段13に記憶している注意動物データと、を比較して、注意動物か否かを判定する注意動物判定処理を行う。さらに、注意動物と判定した場合にポール本体Ｐが警報を発するように構成して、農作物等の保護に用いても良い。
【００５７】
カメラ14は、動画及び静止画の撮影が可能なＣＣＤカメラやＣＭＯＳカメラ等である。カメラ14は、ポール本体Ｐの前面、側面、後面等配置は自由である。
また、カメラ14は、性別年齢判定処理や不審者判定処理のための動画（人の顔や姿、周囲の様子等の動画）の撮影が可能な可視光カメラ部と、熱分布の動画の撮影が可能な赤外線カメラ部と、を有する構成とするも良い。
そして、処理手段10は、赤外線カメラ部で撮影した熱分布（赤外線分布）映像データと、予め記憶手段13に記憶している所定の温度（体温）閾値と、を比較して、体温の高い人がいるか否か、（インフルエンザ等で高熱を出している人か否か）を判定する発熱者判定処理を行う。さらに、発熱者と判定した場合に、ポール本体Ｐが警報を発するように構成して、病院や空港、イベント会場での病気の感染拡大防止に用いても良い。
【００５８】
記憶手段13は、情報の読み書きが繰り返し可能なＲＡＭ（ランダムアクセスメモリ）やフラッシュメモリ等の内部記憶部と、メモリーカード等の記憶用の小型電子媒体に記憶されている情報を保持すると共にその小型電子媒体に対して情報の読み書きが可能なリーダライタドライブ等の補助記憶装置である補助記憶部と、で構成し、小型電子媒体にデータ（リストＬや性別年齢比率結果等）を記憶させて、取り出し可能とするも良い。
【００５９】
なお、本発明は、設計変更可能であって、図示省略するが、ポール本体Ｐに警告ランプを設けて点灯・点滅させるも良い。また、ポール本体Ｐ同士のデータの送受信は、無線式が好ましいが、ガイドベルト62内に伸縮自在な通信線を設け、ガイドベルト62を経由する有線式とするも良い。データ送受信手段17は、ポール本体Ｐ同士でデータの送受信（受け渡し）が可能であればよく、管理用情報処理機器３に対しては、カメラ14が撮影した動画を映像データとして送信、又は、上記管理用情報処理機器３からのデータを受信可能であれば良い。なお、パーティションポール本体Ｐは、表示手段11を省略した（備えていない）構成とするも良い。つまり、上述の説明で表示手段11に表示した人の移動状況等の表示情報（データ）を、管理用情報処理機器３に送信して、管理用情報処理機器３の表示部３ｄに表示情報を表示させるように構成するも良い。また、ポール本体Ｐは複数（本）で使用する場合に限らず、単独（１本）で使用するも良い。
【００６０】
以上のように、本発明のパーティションポール装置は、人を誘導するためのパーティションポール本体Ｐを備えたパーティションポール装置に於て、上記パーティションポール本体Ｐは、電気的に表示内容を変更可能な表示手段11を有するので、店員や警備員等の行列管理者が、行列に並んでいる人に、待ち時間や順番等を説明する手間や、紙等に記載して貼る手間を削減できる。最新の情報を、行列に並んでいる人に、容易かつ迅速（リアルタイム）に知らせることができる。表示手段11に宣伝や映像を表示させて待ち時間のイライラ解消に貢献できる。
【００６１】
また、上記パーティションポール本体Ｐは、人を検知可能な人検知手段12と、該人検知手段12が検知した人検知回数を計測する処理手段10と、計測した人検知回数を回数データとして記憶する記憶手段13と、を備え、上記回数データを管理用情報処理機器３へ送信可能、又は、上記回数データを上記表示手段11に表示可能、に構成したので、正確な順番を容易かつ迅速に伝達できる。待ち時間や待ちの順番を容易に算出できる。
【００６２】
また、上記パーティションポール本体Ｐは、人を検知した検知時刻データと、上記回数データと、に基づいて人の移動状況を上記表示手段11に表示するように構成したので、行列の人数、待ち人数（順番）、待ち時間等の様々な人の移動状況（行列状況）を、リアルタイムに、かつ、正確に、行列に並んでいる人に伝えることができる。
【００６３】
また、上記パーティションポール本体Ｐは、動画の撮影が可能なカメラ14を備え、さらに、該カメラ14が撮影した動画を映像データとして管理用情報処理機器３又は他の上記パーティションポール本体Ｐに送信可能、又は、上記管理用情報処理機器３又は他の上記パーティションポール本体Ｐからのデータを受信可能、に構成したので、人の移動状況、誘導路Ｚ（行列）に並んでいる人の情報を映像データとして得ることができ、行列の進行をスムーズにさせたり、行列の管理を容易に行うことができる。割り込み等のトラブル防止やトラブルの原因究明に役立つ。
【００６４】
また、上記パーティションポール本体Ｐは、上記カメラ14で撮影した人の顔画像データから性別及び年齢を推定する性別年齢判定処理と、該性別年齢判定処理の結果に基づいて性別と年齢の比率を算出する性別年齢比率処理と、を行う処理手段10を備えたので、行列に並んでいる人（顧客）の調査を容易に行うことができる。現実に沿った市場調査（マーケティング）資料を得ることができる。市場調査員等の人件費を削減できる。
【００６５】
また、上記パーティションポール本体Ｐは、上記カメラ14で撮影した人の顔画像データと、不審者データと、に基づいて上記顔画像データの人物が不審者か否かを判定する不審者判定処理を行う処理手段10を備え、不審者と判定した場合に警報を発するように構成したので、イベントや空港等で安全管理に関する警備員の人件費を削減できる。固定の防犯カメラを設置できない（監視できない）野外広場や仮設会場で、行列管理と、安全管理の両方を行うことができる。
【００６６】
また、誘導路Ｚを形成する複数の上記パーティションポール本体Ｐ，Ｐの内、先頭に配設された上記パーティションポール本体Ｐの上記カメラ14で撮影した映像データを、最後尾に配設された上記パーティションポール本体Ｐの上記表示手段11に表示するので、行列の最後尾にいながらも、先頭の様子がわかり、行列に並んでいる人の不満（イライラ）を解消できる。一目で、直感的に、人の移動状況（混雑しているか否か）がわかる。
【００６７】
また、上記パーティションポール本体Ｐは、自立状設置状態と持ち上げ状態とを判定可能にＯＮ−ＯＦＦが切り換わるスイッチ61を有する危険検知手段16を備え、上記持ち上げ状態と判定した場合に警報を発するように構成したので、ポール本体Ｐの盗難を確実に防止できる。ポール本体Ｐの盗難を監視する警備員等の監視者の人件費を削減できる。
【００６８】
また、隣り合う上記パーティションポール本体Ｐ，Ｐを連結自在なガイドベルト62を備え、上記ガイドベルト62は、内部に伸縮自在な電力線を有し、全体に伸縮自在であり、複数の上記パーティションポール本体Ｐ，Ｐの内の少なくとも１つに外部電力が供給され、上記ガイドベルト62内の電力線を介して他の上記パーティションポール本体Ｐに電力を供給するように構成したので、ポール本体Ｐの配設近傍に、多数の電源コードが配線されるのを防止でき、通行人が電源コードに引掛かるといった事故を防止できる。電源コンセント（外部電源）の数や場所による制限を殆ど受けずに、多数のポール本体Ｐを用いて誘導路Ｚを形成できる。誘導路Ｚのレイアウト変更を容易かつ迅速に行うことができる。
【符号の説明】
【００６９】
３  管理用情報処理機器
10  処理手段
11  表示手段
12  人検知手段
13  記憶手段
14  カメラ
16  危険検知手段
61  スイッチ
62  ガイドベルト
Ｐ  パーティションポール本体
Ｚ  誘導路
【図１】
2018165864.tif 000003
【図２】
2018165864.tif 000004
【図３】
2018165864.tif 000005
【図４】
2018165864.tif 000006
【図５】
2018165864.tif 000007
【図６】
2018165864.tif 000008
【図７】
2018165864.tif 000009
【図８】
2018165864.tif 000010
【図９】
2018165864.tif 000011
【図１０】
2018165864.tif 000012
【図１１】
2018165864.tif 000013
【図１２】
2018165864.tif 000014
【図１３】
2018165864.tif 000015